(57)【要約】【課題】枠付メッシュフィルタの回転方向の固定の信頼性を向上し、枠付メッシュフィルタが上下逆付けされたときに正常に動作できないようにすることで、所定の性能を確実に得ることができるとともに、使い勝手のよい電動調理器を提供することを目的とする。【解決手段】枠付メッシュフィルタ３５が上下逆付けされたときは、突起４９が分離籠２８に先当たりすることにより、フィルタ２９のフランジ３８を枠付メッシュフィルタ３５の下枠４４の下面で押し上げて、フィルタ２９が浮き上がることにより蓋３１も浮き上がり、蓋３１の穴部４７と爪４６がかん合できない。同時に、上下正常にセットされた状態では突出部３９と突起４９が係合するので、回転時の枠付メッシュフィルタ３５は係合位置で回転が止まり、一定の位置で固定することができ、安定した運転状態を維持できる。【選択図】図１
2013154012.tif 000002
【特許請求の範囲】
【請求項１】
モータを内蔵する本体と、
前記モータの出力側に設けた駆動側コネクタと、
前記駆動側コネクタに着脱自在に係合する従動側コネクタを有するカッターおよび分離籠と、
前記分離籠の内側に着脱自在に係合され、上部にフランジを有する筒状で液体を分離するためのフィルタと、
前記フィルタで分離された液体を受ける容器と、
前記容器を覆うとともに、前記本体に設けられたクランプ機構の爪とかん合する穴部を有する蓋と、
前記フィルタの内側に着脱自在に係合され、環状に巻いたメッシュフィルタの外周を枠で覆い筒状に一体化し、上部に第二のフランジを有する枠付メッシュフィルタとを設け、
前記フィルタのフランジの内側に突出部を設け、
前記枠付メッシュフィルタに、回転したときに前記突出部と係合し、かつ、上下逆付けされたときに前記フィルタのフランジを前記枠付メッシュフィルタの下枠の下面で押し上げて、前記フィルタを浮き上がらせることにより前記蓋も浮き上がらせるようにして前記穴部と前記爪がかん合不可とする突起を、前記第二のフランジの上部に設けた電動調理器。
【請求項２】
本体に電源のインターロックと、
所定位置まで下動すると前記インターロックを解除する容器検知体を設け、
蓋が爪と正しくかん合したときに前記容器検知体を押し下げることができる安全ピンを容器に形成し、
前記安全ピンが前記容器検知体を押し下げることにより、前記容器検知体が前記インターロックを解除し前記電源を入れることが可能となるように構成した請求項１に記載の電動調理器。
【発明の詳細な説明】
【技術分野】
【０００１】
本発明は、主として野菜、果物等を粉砕して液体物と固形物を分離させることによりジュースをつくる、例えばジューサーなどの電動調理器に関するものである。
【背景技術】
【０００２】
従来、この種の電動調理器は、図９のように、筒状のフィルタ１の中に枠付メッシュフィルタ２を設けており、枠付メッシュフィルタ２とフィルタ１の固定は圧入による固定で、枠付メッシュフィルタ２をフィルタ１に取り付けるときの上下方向は表示により、使用者が判断していた。枠付メッシュフィルタ２は、クリア（液体物と固形物の分離度合が高い）なジュースをつくりたいときに使用するアタッチメントである。（例えば、特許文献１参照）
【先行技術文献】
【特許文献】
【０００３】
【特許文献１】特公昭６１−３９８０６号公報
【発明の概要】
【発明が解決しようとする課題】
【０００４】
しかしながら、前記従来の構成では、枠付メッシュフィルタが上下逆付けされるおそれがあり、上下逆付けされた場合は性能が出ない。（たとえば、枠付メッシュフィルタの上部のフランジは、カスを溜める目的があるが、上下逆付けされると、カス（固形物）を溜めることができず、カスが漏れてジュース（液体物）に多量のカスが混入し、ジュース性能が出なくなる。）また、枠付メッシュフィルタの回転方向の固定は、圧入固定であるが、寸法ばらつきや変形があったときに、回転方向の固定が不安定になり、運転中に枠付メッシュフィルタが回転すると、振動等に悪影響を及ぼす可能性がある。
【０００５】
本発明は、前記課題を解決するもので、枠付メッシュフィルタの回転方向の固定の信頼性を向上し、枠付メッシュフィルタが上下逆けされたときに正常に動作できないようにすることで、所定の性能を確実に得ることができるとともに、使い勝手のよい電動調理器を提供することを目的とする。
【課題を解決するための手段】
【０００６】
前記従来の課題を解決するために、フィルタの上部のフランジの内側に突出部を設け、回転したときに突出部と係合し、かつ、枠付メッシュフィルタが上下逆付けされたときにフィルタを浮き上がらせる突起を枠付メッシュフィルタの上部のフランジの上側に設けるようにしたものである。
【０００７】
これによって、枠付メッシュフィルタが上下逆付けされたときは、フィルタが浮き上がることにより、蓋がセットできず、正常に動作できないので、正しくセットしなおしていただくようユーザに異常を気づかせることができる。同時に、上下正常にセットされた状態では突出部と突起が係合するので、回転時の枠付メッシュフィルタは係合位置で回転が止まり、一定の位置で固定することができ、安定した運転状態を維持できる。
【発明の効果】
【０００８】
本発明の電動調理器は、所定の性能を確実に得ることができ、使い勝手をよくすることができる。
【図面の簡単な説明】
【０００９】
【図１】本発明の実施の形態１における電動調理器の断面図
【図２】同電動調理器の要部断面拡大図
【図３】同電動調理器の要部斜視図
【図４】同電動調理器の要部斜視図
【図５】同電動調理器の要部斜視図
【図６】同電動調理器の要部斜視図
【図７】同電動調理器の断面図
【図８】同電動調理器の枠付メッシュフィルタ逆付け時の断面図
【図９】従来の電動調理器の断面図
【発明を実施するための形態】
【００１０】
第１の発明は、モータを内蔵する本体と、前記モータの出力側に設けた駆動側コネクタと、前記駆動側コネクタに着脱自在に係合する従動側コネクタを有するカッターおよび分離籠と、前記分離籠の内側に着脱自在に係合された液体を分離し、上部にフランジを有する筒状のフィルタと、前記フィルタで分離された液体を受ける容器と、前記容器を覆うとともに、前記本体に設けられたクランプ機構の爪とかん合する穴部を有する蓋と、前記フィルタの内側に着脱自在に係合され、環状に巻いたメッシュフィルタの外周を枠で覆い筒状に一体化し、上部に第二のフランジを有する枠付メッシュフィルタを設け、前記フィルタのフランジの内側に突出部を設けるとともに、回転したときに前記突出部と係合し、かつ、上下逆付けされたときに前記フィルタのフランジを前記枠付メッシュフィルタの枠の下面で押し上げて、前記フィルタを浮き上がらせることにより前記蓋も浮き上がらせるようにし、前記穴部と前記爪をかん合できなくする突起を前記第二のフランジの上部に設けたことにより、枠付メッシュフィルタが上下逆付けしされたときは、フィルタが浮き上がることにより、容器蓋がセットできず、正常に動作できないので、正しくセットしなおしていただくようユーザに異常を気づかせることができる。同時に、上下正常にセットされた状態では突出部と突起が係合するので、回転時の枠付メッシュフィルタは係合位置で回転が止まり、一定の位置で固定することができ、安定した運転状態を維持できる。
【００１１】
第２の発明は、第１の発明に加え、本体に電源のインターロックと、所定位置まで下動すると前記インターロックを解除する容器検知体を設け、蓋が爪と正しくかん合したときに前記容器検知体を押し下げることができる安全ピンを容器に形成し、前記安全ピンが前記容器検知体を押し下げることにより、前記容器検知体が前記インターロックを解除し前記電源を入れることを可能とするようにしたことにより、枠付メッシュフィルタの上下を正しくセットしないと電源を入れることもできなくなるので、ユーザの認知も確実になり、より安全である。
【００１２】
以下、本発明の実施の形態について、図面を参照しながら説明する。なお、この実施の形態が本発明を限定されるものではない。
【００１３】
（実施の形態１）
図１と図７は、本発明の第１の実施の形態における電動調理器の断面図を示すものである。図２は、同電動調理器の要部断面拡大図、図３〜図６は同要部斜視図である。
【００１４】
図１〜図７において、実施の形態１の電動調理器は、モータ２１の出力側に駆動側コネクタ２２、２３を設けた本体２４と、駆動側コネクタ２２，２３に着脱自在に係合する従動側コネクタ２５、２６をもつカッター２７および分離籠２８を装備し、分離籠２８内には液体を分離する着脱自在のフィルタ２９を設け、フィルタ２９で分離された液体を受ける容器３０と、容器３０を覆う蓋３１を有した構成としている。
【００１５】
フィルタ２９は櫛部３２を有しており、この部位でジュースを分離する。また、分離籠２８の凹部３３に凸部３４を係合させるようになっており、分離籠２８は係合した凸部３４が外れない方向に回転するようになっている。
【００１６】
３５は枠付メッシュフィルタで、環状に巻いたメッシュフィルタ３６の外周をＰＰなどの樹脂枠３７で覆いインサート成形により筒状に一体化されており、フィルタ２９の内側に着脱自在に係合されている。具体的にはフィルタ２９の上部に形成したフランジ３８の内側に設けた４箇所の突出部３９と枠付メッシュフィルタ３５の上部に形成した第二のフランジ４０の上側に設けた環状のリブ４１が係合することで、枠付メッシュフィルタ３５の上方への移動が規制されるようになっている。メッシュフィルタ３６のメッシュサイズは数十メツシユあるいは数百メツシユのサイズとしている。
【００１７】
枠付メッシュフィルタ３５やフィルタ２９は回転動作時は上方に浮くので、回転動作時において通常は枠付メッシュフィルタ３５の下部と分離籠２８の間には空隙４２が発生するが、分離籠２８とフィルタ２９と枠付メッシュフィルタ３５の高さ方向の部品ばらつきを含めた最悪条件でも、回転動作時に空隙４２が形成されるように寸法設定してある。さらに寸法設定した空隙４２に相当する高さの突起４３を枠付メッシュフィルタ３５の下枠４４に設けており、これにより空隙４２は確実に形成されることになる。
【００１８】
たとえば、最も異常振動が起こりやすかったキウィでジュースを作った場合に、回転動作時の空隙を０ｍｍの条件で実験を行うと、数回に一度異常振動が起こり、０．１ｍｍの空隙の条件で実験を行うと異常振動が発生しなかったことから、少なくとも０．１ｍｍ以上の空隙が必要である。空隙を大きくすれば、より安全性が高まるが、その分空隙からのカス漏れが増え、クリアなジュース性能が低下していくため、適切な設定が必要である。
【００１９】
枠付メッシュフィルタ３５を装着した状態でジュースを絞っているときに下枠４４と分離籠２８の隙間が少ないと、メッシュフィルタ３６が絞りカスで覆われると枠付メッシュフィルタ３５の内部に溜まった水分の逃げ場がなくなり、溜まった水分のアンバランスの影響により、異常振動が起こる場合があることを見出しているが、空隙４２を設けているため、水分の逃げる隙間が確保され、異常振動を防止することができるようになっている。また、フィルタ２９の内側に枠付メッシュフィルタ３５を配置しているので、収納に便利であり、才数ダウンにもつなげている。
【００２０】
本体２４には、蓋３１をクランプするクランプ機構４５が内蔵されており、クランプ機構４５の爪４６と蓋３１に形成された穴部４７がかん合するようになっている。クランプ機構４５にはばね４８が取り付けられてあり、爪４６は本体２４の外側に付勢されている。
【００２１】
枠付メッシュフィルタ３５の上部に形成した第二のフランジ４０の上側に設けた環状のリブ４１の上部に突起４９が４箇所設けてあり、突起４９は回転したときに突出部３９と係合し、上下逆付けされたときにフィルタ２９のフランジ３８を枠付メッシュフィルタ３５の下枠４４の下面で押し上げて、フィルタ２９を浮き上がらせることにより、蓋３１も浮き上がらせるようにし、穴部４７と爪４６をかん合できなくするような高さに設定してある。
【００２２】
本体２４には電源のインターロック（図示せず）を内蔵し、所定位置まで下動するとインターロックを解除する容器検知体５０と連動している。また、蓋３１が爪４６と正しくかん合したときに容器検知体５０を押し下げることができる安全ピン５１を容器３０に形成し、安全ピン５１が容器検知体５０を押し下げることにより、容器検知体５０がインターロックを解除し電源を入れることが可能となるように構成している。
【００２３】
以上のように構成された電動調理器について、以下その動作、作用を説明する。
【００２４】
モータ２１の動力が伝達された駆動側コネクタ２２と、従動側コネクタ２５を介しカッター２７を回転させて調理物を切削し、同じく駆動側コネクタ２３と、従動側コネクタ２６を介しスピンナーを回転させてフィルタ２９により液体と固形物を分離させる。フィルタ２９で分離された液体は、容器３０を通過し、外部へ放出される。クリアなジュースを作る時は、フィルタ２９の内側に着脱可能な枠付メッシュフィルタ３５を装着すればよい。
【００２５】
ここで、図８に示すように枠付メッシュフィルタ３５が上下逆付けされたときは、突起４９が分離籠２８に先当たりすることにより、フィルタ２９のフランジ３８を枠付メッシュフィルタ３５の下枠４４の下面で押し上げて、フィルタ２９が浮き上がる。そうすると、蓋３１も浮き上がり、蓋３１の穴部４７と爪４６がかん合できない。したがって、蓋３１がセットできず、正常に動作できないので、正しくセットしなおしていただくようユーザに異常を気づかせることができる。同時に、上下正常にセットされた状態では突出部３９と突起４９が係合するので、回転時の枠付メッシュフィルタ３５は係合位置で回転が止まり、一定の位置で固定することができ、安定した運転状態を維持できる。
【００２６】
また、蓋３１が爪４６と正しくかん合したときに容器検知体５０を押し下げることができる安全ピン５１を容器に形成しているため、枠付メッシュフィルタ３５の上下を正しくセットしないと電源を入れることもできなくなるので、ユーザの認知も確実になり、より安全である。
【００２７】
以上のように、本実施の形態においては、枠付メッシュフィルタ３５の回転方向の固定の信頼性を向上し、枠付メッシュフィルタ３５が上下逆付けされたときに正常に動作できないようにすることで、所定の性能を確実に得ることができるとともに、使い勝手をよくすることができる。
【産業上の利用可能性】
【００２８】
以上のように、本発明にかかる電動調理器は、枠付メッシュフィルタの回転方向の固定の信頼性を向上し、枠付メッシュフィルタが上下逆付けされたときに正常に動作できないようにすることで、所定の性能を確実に得ることができるとともに、使い勝手をよくすることができるので、枠付メッシュフィルタと分離籠を用いて、クリアなジュースやクリアな液体を得ようとする他の応用にも適用できる。
【符号の説明】
【００２９】
２１  モータ
２２、２３  駆動側コネクタ
２４  本体
２５，２６  従動側コネクタ
２７  カッター
２８  分離籠
２９  フィルタ
３０  容器
３１  蓋
３５  枠付メッシュフィルタ
３６  メッシュフィルタ
３８  フランジ
３９  突出部
４０  第二のフランジ
４４  下枠
４５  クランプ機構
４６  爪
４７  穴部
４９  突起
５０  容器検知体
５１  安全ピン
【図１】
2013154012.tif 000003
【図２】
2013154012.tif 000004
【図３】
2013154012.tif 000005
【図４】
2013154012.tif 000006
【図５】
2013154012.tif 000007
【図６】
2013154012.tif 000008
【図７】
2013154012.tif 000009
【図８】
2013154012.tif 000010
【図９】
2013154012.tif 000011